(57)【特許請求の範囲】
【請求項１】
放電ランプと、該放電ランプを取り囲む反射鏡と、該反射鏡の背面側に端子接続部を備え、前記放電ランプからの外部リードと、該放電ランプに給電する電源部からの給電線とが前記端子接続部において接続されてなる光源装置において、
前記給電線は絶縁材で被覆された複数の素線からなり、当該給電線の先端には、結束部を備えた圧着端子が接続されてなり、
前記結束部が前記複数の素線を把持した状態で、前記端子接続部、前記結束部及び前記複数の素線が溶融して一体化していることを特徴とする光源装置。
【請求項２】
前記給電線の素線を構成する材料は、前記圧着端子の結束部を構成する材料よりも、融点が低いことを特徴する請求項１の光源装置。
【発明の詳細な説明】
【技術分野】
【０００１】
本発明は、ショートアーク型放電ランプと反射鏡を組み合わせた光源装置に関するものであり、特に、プロジェクタの光源として使用される光源装置に係わるものである。
【背景技術】
【０００２】
従来、プロジェクタの光源装置として、ショートアーク型放電ランプと凹面反射鏡を組み合わせたものが使用される。プロジェクタには演色性のよい光源が要求され、従来、高い水銀蒸気圧を持った超高圧水銀ランプが好適に使用されている。
このような光源装置の一般的構造は、特開２００４−０３０９４０号公報（特許文献１）や特開２００７−０６６７１２号公報（特許文献２）などに開示されている。
図４にその構造が示されていて、光源装置１０は、ショートアーク型放電ランプ１１と、このランプ１１からの光を集光する反射鏡１２とを備え、ランプ１１における発光管１３の一方の封止部１４が前記反射鏡１２の後方首部１２ａに挿入された状態で固定されている。
前記反射鏡１２は、セラミックス又はガラスなどの無機絶縁性物質より構成されており、その首部１２ａの外周部分に端子接続部１５，１６が２つ取り付けられている。
【０００３】
前記放電ランプ１１の後方からの一方のリード線２１は、反射鏡１２の首部１２ａの外周部分に導かれており、第一の端子接続部１５に接続され、また、前方の他方のリード線２２は、前記反射鏡１２の反射部に形成された貫通孔２０から反射部の背面側に導出され、第二の端子接続部１６に接続されている。
そして、外部に設けられた電源部（ここには図示しない）からの第一の給電線２３および第二の給電線２４が、光源装置１０における前記第一の端子接続部１５及び第二の端子接続部１６にそれぞれ接続されることにより、ランプ１１に電力が供給されるようになる。
【０００４】
上記構成において、給電線２３（２４）は絶縁材で被覆された複数の給電素線からなり、これを端子接続部１５（１６）に接続するためには、通常、圧着端子が用いられている。
図４のＡ部の拡大図である図５にその構造が示されていて、（Ａ）は上面図、（Ｂ）は側面図である。
図において、圧着端子３０は、例えばＵ字形をなす端子部３１と、その根元部分に前記給電線２３の素線２３ａを圧着結束する結束部３２と、給電線２３への取り付け部３３とからなる。
該圧着端子３０は、その取り付け部３３を給電線２３の絶縁被覆材２３ｂにカシメにより取り付けられ、その結束部３２に給電線２３の素線２３ａが挿入されてカシメにより固定される。そして、先端の端子部３１がネジ３５により端子接続部１５に固定されている。
【０００５】
なお、圧着端子３０の端子接続部１５への固定は、ネジ止め以外に、図６に示すように、平板状の端子部３１を溶接してもよい。
【０００６】
このような光源装置においては、ショートアーク型放電ランプを点灯すると、放電ランプが高温になるため、これを取り囲む反射鏡もまた加熱状態に至る。つまり、放電ランプは、点灯と消灯が繰り返されるために、その熱的影響を受ける部材には熱膨張と収縮が交互に生じることになる。
このため、反射鏡の背面に配置された端子接続部も該端子接続部に接続された圧着端子や給電線もまた熱的な影響をうけ、ランプの点灯・消灯により温度が変化し、膨張と収縮を繰り返すことになる。その結果、給電線の素線をカシメ固定している圧着端子の結束部に緩みが生じ、給電線の素線が結束部から外れてしまい、電気的導通が遮断されるという不具合が生じることがあった。
【先行技術文献】
【特許文献】
【０００７】
【特許文献１】特開２００４−０３０９４０号公報
【特許文献２】特開２００７−０６６７１２号公報
【発明の概要】
【発明が解決しようとする課題】
【０００８】
この発明は、上記従来技術の問題点に鑑みて、放電ランプと、該放電ランプを取り囲む反射鏡と、該反射鏡の背面側に端子接続部を備え、前記放電ランプからの外部リードと、該放電ランプに給電する電源部からの給電線とが前記端子接続部において接続されてなる光源装置において、前記給電線に取り付けられて前記端子接続部に接続される圧着端子と、該圧着端子に取り付けられる給電線との接続に緩みが生じることを防止して、その電気的導通が遮断されてしまうことのないようにした構造を提供するものである。
【課題を解決するための手段】
【０００９】
上記課題を解決するために、この発明に係る光源装置は、絶縁材で被覆された複数の素線からなる給電線の先端には、結束部を備えた圧着端子が接続されてなり、前記結束部及び前記複数の素線は、前記結束部が前記複数の素線を把持した状態で溶融して一体化していることを特徴とする。
【発明の効果】
【００１０】
本発明の光源装置によれば、給電線の素線が圧着端子の結束部にカシメ固定された後に溶融一体化されていることにより、該結束部にランプ点灯・消灯に伴う温度変化による膨張・収縮があっても、その結合が緩んだり外れたりすることがなく、安定した電気的接続が得られるという効果を奏するものである。
【図面の簡単な説明】
【００１１】
【図１】本発明の光源装置の側面図。
【図２】図１のＡ部の拡大図で、給電線と圧着端子の接続構造を表す図。
【図３】図２（Ｂ）のＸ矢視図。
【図４】従来技術の光源装置の側面図。
【図５】図４のＡ部の拡大図で、給電線と圧着端子の接続構造を表す図。
【図６】接続構造の他の例を表す図。
【発明を実施するための形態】
【００１２】
図１は、本発明の光源装置の説明図である。
その全体の構造については、図４の従来例のものと同様であって、給電線２３、２４と端子接続部１５，１６との接続構造が相違する。
図２は図１のＡ部の拡大図であるとともに、その接続工程を示すものであって、圧着端子１は、給電線２３の素線２３ａを圧着結束する結束部２と、給電線２３の絶縁被覆部２３ｂにカシメ固定される取り付け部３とからなる。
図２（Ａ）に示されるように、圧着端子１に給電線２３が載置され、取り付け部３が給電線２３の絶縁被覆部２３ｂに巻きつけられてカシメ固定される。そして、結束部２が給電線２３の素線２３ａに巻きつけられてカシメ固定される。
このカシメ固定された状態が、図２（Ｂ）および、その斜視図である図２（Ｃ）に示されている。更には、図２（Ｂ）のＸ矢視図である図３（Ａ）にカシメ後の状態が示されている。
【００１３】
この状態で、圧着端子１を端子接続部１５上に載置して、これらを挟むように上限から溶接治具を当接して押圧加熱する。これによって、図３（Ｂ）に示すように、結束部２内の給電線２３の素線２３ａは溶融して素線溶融部Ａとなり、前記結束部２と一体化する。
同時に、結束部２と端子接続部１５はその当接部がともに溶融して接続溶融部Ｂとなって、結束部２が端子接続部１５に固着される。
こうして、給電線２３の素線２３ａが、圧着端子１の結束部２内に把持された状態でこれと溶融一体化されるとともに、結束部２は端子接続部１５に溶融一体化されて固着された構造が得られるものである。
勿論、もう一方の端子接続部１６と給電線２４との接続構造にも同様の取り付け構造が適用されている。
【００１４】
ここで、給電素線２３ａの材質としては、結束部２の材質よりも融点が低い金属であることが望ましい。端子接続部１５に溶接する際、結束部２の内部で給電素線２３ａが溶融することで、結束部２の内部に素線２３ａを構成する金属が充填し、隙間なく埋め込まれる。
例えば、給電素線２３ａには銅、結束部２にはＳＵＳが用いられる。
【００１５】
以上説明したように、本発明の光源装置においては、電源部から放電ランプへの給電線の素線を、圧着端子の結束部内に把持した状態で端子接続部に溶接するので、給電線の素線が結束部内で溶融して該結束部と一体化した構造が得られ、ランプの点灯／消灯によって圧着端子に温度変化があっても、素線が圧着端子から外れて離脱するようなことがなく、安定した電気的接続が得られるものである。
また、給電線の素線の溶融と同時に、結束部と端子接続部が溶接されて圧着端子が端子接続部に接続されるので、作業が簡便になる。
【符号の説明】
【００１６】
１          圧着端子
２          結束部
３          取り付け部
１０        光源装置
１１        放電ランプ
１２        反射鏡
１２ａ      首部
１３        発光部
１４        封止部
１５，１６  端子接続部
２１，２２  リード線
２３，２４  給電線
２３ａ      素線
２３ｂ      絶縁被覆部
Ａ          素線溶融部
Ｂ          接続溶融部
【図１】
0005885022.tif 000002
【図２】
0005885022.tif 000003
【図３】
0005885022.tif 000004
【図４】
0005885022.tif 000005
【図５】
0005885022.tif 000006
【図６】
0005885022.tif 000007